Podtech/llm-jp-corpus-v4-ja_patent huggingface dataset:
(57)【要約】【課題】  プロジェクターを用いてスクリーンに映像を投影するに当たって、映像の所望の部分を選択的に一層明るく表示できる映像表示装置を提供すること。【解決手段】  プロジェクターを用いてスクリーンに映像を投影する映像表示装置において、略格子状に多数配列された発光部材を表面に有するスクリーンと、映像情報を記録された記録媒体から、光学的に映像情報をスクリーンに投影するプロジェクターと、映像情報を記録された記録媒体から、予め設定された閾値より明度の高い映像の部位を検出する高明度部位検出手段と、その高明度部位検出手段によって指定された部位に相当するスクリーン上の発光部材を発光させる発光制御手段とを設ける。【選択図】  図２
2006047729.tif 000002
【特許請求の範囲】
【請求項１】
プロジェクターを用いてスクリーンに映像を投影する映像表示装置であって、
略格子状に多数配列された発光部材を表面に有するスクリーンと、
映像情報を記録された記録媒体から、光学的に映像情報をスクリーンに投影するプロジェクターと、
映像情報を記録された記録媒体から、予め設定された閾値より明度の高い映像の部位を検出する高明度部位検出手段と、
その高明度部位検出手段によって指定された部位に相当するスクリーン上の発光部材を発光させる発光制御手段とを備える
ことを特徴とする映像表示装置。
【発明の詳細な説明】
【技術分野】
【０００１】
本発明は、プロジェクターを用いてスクリーンに映像を投影し、映画館等で利用される映像表示装置に関する。
【背景技術】
【０００２】
従来のスクリーンは、単なる平らな布状物であり、光源及びレンズ系を有するプロジェクターによって投影された光学情報を映すものであった。
他方、映像表示装置としては、ＴＶのディスプレイなど、電磁気的な映像情報を発光させて表示する装置がある。
【０００３】
例えば、映画館において、太陽が山端から昇る日の出のシーンを映す場合など、ごく小さな面積部分のみを特別明るく表示したいケースがある。
しかし、従来のスクリーンには、光を投影されるのみの受動的な機能しかなく、また、発光式のディスプレイにプロジェクターで投光すると、映像を鮮明に映すことが困難であり、経費も嵩んでしまう。
【発明の開示】
【発明が解決しようとする課題】
【０００４】
そこで、本発明は、プロジェクターを用いてスクリーンに映像を投影するに当たって、映像の所望の部分を選択的に一層明るく表示できる映像表示装置を提供することを課題とする。
【課題を解決するための手段】
【０００５】
上記課題を解決するために、本発明の映像表示装置は次の構成を備える。
すなわち、プロジェクターを用いてスクリーンに映像を投影する映像表示装置において、略格子状に多数配列された発光部材を表面に有するスクリーンと、映像情報を記録された記録媒体から、光学的に映像情報をスクリーンに投影するプロジェクターと、映像情報を記録された記録媒体から、予め設定された閾値より明度の高い映像の部位を検出する高明度部位検出手段と、その高明度部位検出手段によって指定された部位に相当するスクリーン上の発光部材を発光させる発光制御手段とを設けることを特徴とする。
【発明の効果】
【０００６】
本発明によると、スクリーンには略格子状に多数配列された発光部材が備わり、映像情報を記録された記録媒体から検出された明度高く表示する部位に応じて、スクリーン上の発光部材を発光制御するので、映像の所望部分を選択的に一層明るく表示することができる。
【発明を実施するための最良の形態】
【０００７】
以下に、図面を基に本発明の実施形態を説明する。
図１は、本発明の構成を概略的に示す説明図、図２は、フィルム式の映像記録媒体をスクリーンに投影する状態を示す説明図、図３は、スクリーンに投影された山の映像の端にある日の出の発光を示す説明図である。
【０００８】
使用される記録媒体は、フィルムやＤＶＤなど映像情報を記録された記録媒体である。
映像情報記録媒体がフィルム式であれば、映像情報は、直接プロジェクターによって、光学的にスクリーンに投影される。
映像情報記録媒体がＤＶＤなど電磁気式であれば、映像情報は、高明度部位検出手段としての信号読み取り機でいったん光学情報に変換された後に、プロジェクターによって光学的にスクリーンに投影される。
【０００９】
スクリーンには、その表面に、発光ダイオードなどの発光部材が略格子状に多数配列され敷き詰められている。
どの発光部材を、どのような時間経過にどの程度の明るさで発光させるかの制御は、映像情報を記録された記録媒体の読み取り機とスクリーン上の発光部材との間に介する発光部位コントローラによって司られる。
【００１０】
映像情報記録媒体がフィルム式であれば、プロジェクターと並列配置された高明度部位検出手段としてのセンサによって、光学的に明度高くすべき映像部位を検出する。
映像情報記録媒体が電磁気式であれば、高明度部位検出手段としての信号読み取り機によって、明度高くすべき映像部位を検出する。
明度高くすべき映像部位か否かの判定基準となる閾値は、映像情報記録体に予め設定しておいてもよいし、映像の投影の度に適宜設定してもよい。
【００１１】
高明度部位検出手段によって指定された明度高くすべき映像部位は、その位置情報と共に時間及び明度に関する情報を含んで、発光制御手段に伝えられる。発光制御手段では、指定された位置に相応するスクリーン上の発光部材を、指定の様態で発光させる。
【００１２】
なお、プロジェクターに対するスクリーンの相対位置や、設置されたスクリーンの大きさや中心を検出して、プロジェクターや発光部位コントローラにフィードバックする補助機能を付加してもよい。
【産業上の利用可能性】
【００１３】
本発明の映像表示装置によると、スクリーンには略格子状に多数配列された発光部材が備わり、映像情報記録媒体から検出された明度高く表示すべき部位に応じて、スクリーン上の発光部材を発光制御するので、映像の所望部分を選択的に一層明るく表示できるので、臨場感を向上させられる。
【図面の簡単な説明】
【００１４】
【図１】本発明の構成を概略的に示す説明図
【図２】フィルム式の映像記録媒体をスクリーンに投影する状態を示す説明図
【図３】スクリーンに投影された山の映像の端にある日の出の発光を示す説明図
【図１】
2006047729.tif 000003
【図２】
2006047729.tif 000004
【図３】
2006047729.tif 000005
(57)【要約】【課題】  外壁の耐衝撃性能を一般人にわかりやすくしかも印象深く理解してもらうことができる、外壁パネルの耐衝撃性能体験方法を提供する。【解決手段】一端側におもり３が付けられ滑車１に掛けられたロープ２を用意し、体験する者に、前記ロープ２の他端側を引いてもらっておもり３を所定の高さ位置まで上昇させ、しかる後、ロープ２から手を離してもらっておもり３を外壁パネル４上に落下させ、外壁パネルがおもりの落下衝撃で割れないことを体験してもらう。【選択図】      図１
2006047432.tif 000002
【特許請求の範囲】
【請求項１】
一端側におもりが付けられ滑車に掛けられたロープを用意し、体験する者に、前記ロープの他端側を引いてもらっておもりを所定の高さ位置まで上昇させ、しかる後、ロープから手を離してもらっておもりを外壁パネル上に落下させ、外壁パネルがおもりの落下衝撃で割れないことを体験してもらう、外壁パネルの耐衝撃性能体験方法。
【発明の詳細な説明】
【技術分野】
【０００１】
本発明は、外壁パネルの耐衝撃性能体験方法に関する。
【背景技術】
【０００２】
住宅等の建物の購入予定者等の一般人に、外壁の耐衝撃性能を専門的な試験データを使って書面や口頭で説明することは、従来より行われている。
【発明の開示】
【発明が解決しようとする課題】
【０００３】
しかしながら、一般の人にとっては、専門的な試験データを示されても、その意味を理解できなかったり、理解するのが億劫であったりして、印象に残らないことが多い。
【０００４】
本発明は、上記のような問題点に鑑み、外壁の耐衝撃性能を一般人にわかりやすくしかも印象深く理解してもらうことができる、外壁パネルの耐衝撃性能体験方法を提供することを課題とする。
【課題を解決するための手段】
【０００５】
上記の課題は、一端側におもりが付けられ滑車に掛けられたロープを用意し、体験する者に、前記ロープの他端側を引いてもらっておもりを所定の高さ位置まで上昇させ、しかる後、ロープから手を離してもらっておもりを外壁パネル上に落下させ、外壁パネルがおもりの落下衝撃で割れないことを体験してもらう、外壁パネルの耐衝撃性能体験方法によって解決される。
【０００６】
この方法では、おもりを実際に所定の高さ位置から外壁パネル上に落下させるものであるから、どのようなおもりが外壁パネル上に落下するのかを目で見て確認してもらうことができ、外壁パネルの耐衝撃性能をリアルにわかりやすく表現することができる。
【０００７】
のみならず、滑車に掛けられたロープを引いてもらい、おもりの重量を体験者にからだで感じ取ってもらうようにしているので、外壁パネルの耐衝撃性能を体験者に印象深く理解してもらうことができる。
【０００８】
加えて、おもりは、滑車に掛けられたロープを引くことで上昇するようにしているので、ロープを引く体験者が腰を痛めることもなく、所定の高さ位置まで容易に上昇させることができるし、また、おもりが所定の高さ位置に達した状態で、体験者は、外壁パネルからある程度距離をおいた状態になることができ、おもりを外壁パネル上に安全に落下させることができる。
【発明の効果】
【０００９】
本発明は、以上のとおりのものであるから、外壁の耐衝撃性能を一般人にわかりやすくしかも印象深く理解してもらうことができる。
【発明を実施するための最良の形態】
【００１０】
次に、本発明の実施最良形態を図面に基づいて説明する。
【００１１】
本実施形態の方法を実施するのに用いられる設備は、図１に示すように、天井側に取り付けられた定滑車１と、該滑車１に掛けられたロープ２と、ロープ２の一端側に付けられたおもり３と、外壁パネル４とからなっている。おもり３は、コンクリート用の骨材などを袋詰めにしたものなどからなり、その重量は、人がロープ２の他端側をもって引いて上昇させることができる程度の重量、例えば３０ｋｇ程度に設定され、その重量がおもり３に表示されている。また、外壁パネル４は、屋外側に向けられる面部を上向きにするように横向きにされ、キャスター５…が取り付けられて床面６上を容易に移動させることができるようになされている。
【００１２】
体験は、上記の設備を用い、図２（イ）に示すように、体験する者７にロープ２の他端側を引いてもらって、おもり３を所定の高さ位置まで上昇させ、そして、図２（ロ）に示すように、ロープ２から手を離してもらって、おもり３を外壁パネル４上に落下させ、外壁パネル４がおもり３の落下衝撃で割れないことを体験してもらうというようにして行う。
【００１３】
おもり３を上昇させる高さ寸法は、おもり３の落下によって外壁パネル４が割れず、しかも、外壁パネル４にある程度迫力をもって衝撃力が加えられる程度のものに決められていればよく、例えば、おもり３の重量が上記のように３０ｋｇ程度のものであれば、外壁パネル４の上面から１ｍ程度離れた高さ位置までおもり３を上昇させてもらうようにするとよい。
【００１４】
上記のような方法によれば、一般の人に、どのようなおもり３が外壁パネル４上に落下するのかを目で見て確認してもらうことができ、外壁パネル４の耐衝撃性能をリアルにわかりやすく表現することができるのみならず、滑車１に掛けられたロープ２を体験希望者７に引いてもらうことで、その者７におもり３の重量をからだで感じ取ってもらうようにしているので、体験者７に外壁パネル４の耐衝撃性能を印象深く理解してもらうことができる。また、おもり３は、滑車１に掛けられたロープ２を引くことで上昇するようにしているので、ロープ２を引く体験者７が腰を痛めることもなく、所定の高さ位置まで容易に上昇させることができるし、また、おもり３が所定の高さ位置に達した状態で、体験者７は、外壁パネル４からある程度距離をおいた状態になることができ、おもり３を外壁パネル４上に安全に落下させることができる。
【００１５】
以上に、本発明の実施形態を示したが、本発明はこれに限られるものではなく、発明思想を逸脱しない範囲で各種の変更が可能である。例えば、滑車として動滑車を組み合わせてロープを比較的楽に引っ張って上昇させていくことができるようにするのもよく、その場合であっても、体験者は、動滑車の数等によって、おもりの実際の重量を想像することができ、身体への負担を小さくしながら、印象深い体験を行うことができる。また、使用するおもりの材質や形態、重量等に制限はないし、おもりを上昇させる高さ寸法についても制限はない。
【図面の簡単な説明】
【００１６】
【図１】実施形態の方法に使用する設備を示す斜視図である。
【図２】図（イ）及び図（ロ）は実施形態の方法を順次に示す斜視図である。
【符号の説明】
【００１７】
１…定滑車（滑車）
２…ロープ
３…おもり
４…外壁パネル
７…体験する者
【図１】
2006047432.tif 000003
【図２】
2006047432.tif 000004
(57)【要約】【課題】  外国語を学習する際に最も困難となる外国語の聞き取りを容易にするために、外国語の音節を音として記憶することができる学習教材を提供する。【解決手段】  外国語を聞き取れない理由は、言語によって使用される音節が異なるためである。幼児期に外国語を学んでいない人は、外国語を聞いたときにも、母国語の音節に照らし合わせて聞き取ろうとしてしまう。  ステレオヘッドホンを使用して、左耳から外国語を聞かせ、同時に右耳から同じ意味の母国語を聞かせることで、外国語の音節を音として記憶することを可能にする。【選択図】図１
2006047937.tif 000002
【特許請求の範囲】
【請求項１】
ステレオヘッドホンを使用して、左の耳から外国語を、右の耳から母国語を同時に聞きながら、文字で表示された外国語を目で追う外国語学習方。
【発明の詳細な説明】
【技術分野】
【０００１】  本発明は、外国語の修得をより容易にするものである。
【背景技術】
【０００２】  読み書きを中心とした単語と文法重視の外国語学習法。この方法では、外国語で会話ができるようにはならない。
外国語をできるだけ多く聞く、聞き取り重視の外国語学習法。意味を理解できないまま外国語を聞き続けるのは困難が伴い、修得には長期間を要する。
【発明の開示】
【発明が解決しようとする課題】
【０００３】  外国語を聞き取ることができない理由は、言語によって使用される音節が異なるためである。
音節とは、言葉を発するときの音の最小単位であり、言葉を聞き取るときも音節で区切りながら聞き取っている。
言葉を学ぶときに最初に覚えなければならないことは、その言語がどのような音節で成り立っているかである。
言葉を修得していない幼児期では、聞こえて来るものはすべて音である。幼児は、言葉を繰返し聞くことで、言葉がどのような音の組合せで成り立っているかを学んでいき、やがて、聞こえてくる音の中から言葉を識別することができるようになる。
言葉を聞き取れるようになると、言葉の意味を学ぶ段階へと進むことになる。しかし、この段階になると、徐々に新しい音節を覚えることができなくなり、やがて、外国語を聞いたときも母国語の音節に照らし合わせて聞き取ろうとするようになる。外国語の修得が成長と共に困難になるのはこのためである。
幼児期に外国語を学んでいない人にとって、言葉とは母国語の音節でのみ構成されるものであり、それ以外は雑音として無意識に除外してしまう。
本発明の解決しようとする課題は、外国語の音節を音として覚えることを可能とし、外国語の修得を容易にすることである。
【課題を解決するための手段】
【０００４】  左耳で外国語を聞きながら、同じ意味の母国語を右耳で同時に聞くことで、外国語固有の音節を音として覚えることを可能にする。
人間の脳は、左脳と右脳とに分かれていて、それぞれ異なる機能を有している。左脳は論理的な思考や分析を受け持ち、右脳は直観的なひらめきや感覚、知覚を受け持つ。
幼児は、まず右脳を使い言葉の音節を音として記憶していく。やがて、右脳で記憶した音節をたよりに、左脳を使い言葉を分析し、言葉の意味を分類するようになる。成長するとともに、言葉は左脳のみで処理されるようになり、右脳はほとんど使われなくなる。
人間の左半身は右脳で制御され、右半身は左脳で制御されている。外国語を左耳で聞き、同時に同じ意味の母国語を右耳で聞くと、外国語は右脳に直接届き、母国語は左脳に直接届く。左脳は母国語を言葉として処理しその意味を理解する。同時に右脳は外国語を音として処理し、外国語特有の音節を音として記憶する。
最初は、右耳から聞こえる母国語にだけ意識が集中してしまい、左耳から聞こえる外国語を聞き取れない状態が続く。しかし、右脳による音の記憶は、左脳による言葉の理解に比べるとはるかに単純な作業であり、無意識に行なわれるので、意識が母国語に集中している状態でも、右脳は外国語を音として記憶することができる。
続けていると、左耳から聞こえる外国語にも意識を向けることができるようになってくる。
左耳から聞こえる外国語を聞き取れるようになれば、文字で表示された外国語を目で追って確認しながら行なうとより効果的である。
【発明の効果】
【０００５】  この方法により、外国語を母国語の音節に照らし合わせて聞き取ろうとすることなく、外国語の音節を右脳を使って音として覚えることが可能になる。
外国語の音節を音として記憶できれば、外国語のみを聞いたときにも正確に聞き取れるようになる。
母国語を聞いて意味を理解しながら外国語の聞き取りを学習するので、意味が分からずに退屈することもなく、意味を調べるために中断する必要もない。
外国語の学習を幼児期から始める必要がなくなる。
【発明を実施するための最良の形態】
【０００６】  ステレオ音声の映像記録または音声記録の教材を作成する。
左側音声には外国語（３）を記録し、右側音声には同じ意味の母国語（４）を記録して、ステレオヘッドホン（２）を使用した使用者（１）が、外国語（３）と母国語（４）を同時に聞けるようにする。
映像記録（５）では、外国語の字幕（６）を表示して、視覚からも情報を得られるようにする。
音声記録では、テキストを使って文字でも外国語を確認できるようにする。
必要に応じて、単語の意味、文法などの言語学的情報を確認できるようにする。
ステレオ音声が出力可能な、次のような従来からある学習教材での利用が可能である。
磁気テープやＤＶＤ、ＣＤなどの記録メディアでの販売、貸出。テレビ、ラジオでの放送。
ＣＤ−ＲＯＭ、ＤＶＤ−ＲＯＭを使った、テレビゲーム。
インターネットによる配信。
【図面の簡単な説明】
【０００７】  本発明の使用状態を示す図である。
母国語を日本語、外国語を英語とした場合である。
【符合の説明】
【０００８】  １  使用者
２  ステレオヘッドホン
３  左側から聞こえる外国語
４  右側から聞こえる母国語
５  動画または挿絵
６  外国語の字幕
【図１】
2006047937.tif 000003
(57)【要約】【課題】メモリカードをカードスロットに挿入すると、メモリカードの挿入、未挿入が一見してわからない。また、製造工程で、メモリカード再生モジュールの機能や動作確認として、メモリカードをカードスロットに挿入した場合、カードスロットにメモリカードが挿入されたままである事に気づかず、メモリカードを挿入したまま出荷してしまうという問題がある。【解決手段】テレビ受像機の自己診断機能を実行する時、カードスロットにメモリカードが挿入されているか、未挿入かを確認する。メモリカード再生モジュールの自己診断結果が正常であっても、カードスロットにメモリカードが挿入されている場合は、メモリカード再生モジュールが異常である旨を通知する。【選択図】図１
2006101365.tif 000002
【特許請求の範囲】
【請求項１】
自己診断機能を持つテレビ受像機において、外部から自己診断の実行を指示する入力装置と、自己診断を実行する際に、デバイスや機能に対して自己診断を行い、自己診断結果をまとめる制御部と、自己診断を行われるデバイスや機能をまとめた被自己診断対象部と、メモリカードに記録された画像データを読み出し、テレビ受像機で再生させるモジュールと、メモリカードを挿入するスロットと、自己診断結果を通知する表示部と、表示部に表示する為の制御を行う映像制御部を備え、メモリカードの抜き忘れを通知する事を特徴とするカード抜き忘れ防止装置。
【発明の詳細な説明】
【技術分野】
【０００１】
本発明は、自己診断機能を持ち、かつ、メモリカードに記録された情報を再生する機能を持つテレビ受像機に関するものである。
【背景技術】
【０００２】
従来のテレビ受像機においては、外部から入力される自己診断を実行する指示に従って、テレビ受像機を構成する各デバイスや機能が、制御できる状態か否かを検出する自己診断機能を付加している。自己診断が実行された後、自己診断結果は表示部に表示して通知している（例えば、特許文献１参照）。
【０００３】
メモリカード再生機能付きテレビ受像機においても、カード再生モジュールは被自己診断対象として扱われ、各デバイスや機能に自己診断を実行した時に自己診断が実行される。自己診断実行の指示を受けたメモリカード再生モジュールは、モジュール内部に準備されている独自の自己診断機能を実行し、その結果は、各デバイスや機能の自己診断結果と合わせて、表示部にて正常・異常を通知している。
【特許文献１】特開２００２−１６５２３４号公報
【発明の開示】
【発明が解決しようとする課題】
【０００４】
自己診断機能付き、かつ、メモリカード再生機能付きテレビ受像機において、製造工程では、メモリカード再生モジュールの機能や動作確認を行った後に自己診断を実行する。メモリカード再生モジュールの機能や動作確認は、メモリカードをカードスロットに挿入して行うが、カードが小型である為、カードスロットに挿入するとカードが完全に隠れてしまい、挿入されているのか未挿入なのかは見ただけではわからない。その為、カードスロットからカードを抜き忘れた状態で出荷してしまうという問題があった。
【課題を解決するための手段】
【０００５】
本発明のメモリカード抜き忘れ防止装置は、テレビ受像機の自己診断機能を実行する時、カードスロットにメモリカードが挿入されているか、未挿入かを確認し、メモリカード再生モジュールの自己診断結果が正常であっても、カードスロットにメモリカードが挿入されていたら、メモリカード再生モジュールが異常である旨を通知する。
【発明の効果】
【０００６】
本発明のメモリカード抜き忘れ防止装置は、異常である旨を通知して、カードスロットの確認を促し、カードの抜き忘れを防ぐ。製造工程においては、カードを挿入したままの出荷を防ぐという利点がある。
【発明を実施するための最良の形態】
【０００７】
自己診断結果の通知について、メモリカード再生モジュールの自己診断結果に、メモリカードの挿入・未挿入結果を含めて結果とする事で、自己診断結果の表示部を変更することなく実現する。
【０００８】
（実施の形態１）
図１は、本発明の実施の形態１によるメモリカード抜き忘れ装置の構成を説明する為の図である。以下、図１を用いて上記メモリカード抜き忘れ装置の構成を説明する。
【０００９】
テレビ受像機において、１１は外部から自己診断の実行を指示する入力装置、１２は被自己診断対象部に対して自己診断を実行し結果を受け取る制御部、１３はカードスロットに挿入されたメモリカードを制御するモジュール、１４はメモリカードを挿入するメモリカードスロット、１５は自己診断の対象となるデバイスや機能をまとめて被自己診断対象部、１６は自己診断の結果を表示部に表示する為の制御を行う映像制御部、１７は自己診断結果を通知する為の表示部である。
【００１０】
入力装置１１から自己診断を実行する指示を受け取った制御部１２は、被自己診断対象部１５やメモリカード再生モジュール１３に対して自己診断を行う。制御部１２は、被自己診断対象部１５やメモリカード再生モジュール１３から自己診断結果を受け取ると、メモリカード再生モジュール１３にカードスロット１４にメモリカードが挿入されているか否か調査する指示を出す。メモリカード再生モジュール１３はメモリカードスロット１４を調査し、制御部１２にメモリカード挿入・未挿入の結果を送る。受け取った制御部１２は、被自己診断対象部１５やメモリカード再生モジュール１３の自己診断結果と照らし合わせ、その結果を表示するよう映像制御部１６へ指示する。指示を受けた映像制御部１６は結果を表示部１７に表示する。
【００１１】
図２は、メモリカード抜き忘れ装置の動作を説明する為の図である。以下、図２を用いて上記メモリカード抜き忘れ装置の動作を説明する。
【００１２】
外部からの指示により、自己診断を実行する（ステップ１）。自己診断の結果、メモリカード再生モジュールがＮＧであった場合（ステップ２で「Ｙ」）、ＮＧを保持する（ステップ６）。ＯＫであった場合（ステップ２で「Ｎ」）、カードスロットにメモリカードが挿入されているか否かを確認する（ステップ３）。カードが挿入されていれば（ステップ４で「Ｙ」）、ＮＧを保持し（ステップ６）、未挿入であれば（ステップ４で「Ｎ」）、ＯＫを保持（ステップ５）する。そして、前記処理後に、表示部１７に結果を表示する（ステップ７）。
【産業上の利用可能性】
【００１３】
本発明のメモリカード抜き忘れ装置は、異常である旨を通知する事で、カードスロットの確認を促し、メモリカードの抜き忘れを防ぎ、製造工程においては、カードを挿入したままの出荷を防ぐため、メモリカードを搭載可能な全てのＡＶ機器に有用である。
【図面の簡単な説明】
【００１４】
【図１】実施の形態１に係るメモリカード抜き忘れ防止装置の構成を示すブロック図
【図２】同実施の形態に係るメモリカード抜き忘れ防止装置の動作を示すフローチャート
【符号の説明】
【００１５】
１１    入力装置
１２    制御部
１３    カード再生モジュール
１４    カードスロット
１５    被自己診断対象部
１６    映像制御部
１７    表示部
【図１】
2006101365.tif 000003
【図２】
2006101365.tif 000004
(57)【要約】【課題】接点オイルの補給機能を長寿命化できるブラシ付きモータの提供。【解決手段】整流子ホルダ１０の円筒芯体部１２の円周面１２ａに互いにギャップＧを空けて３個の整流子片２０を添接した整流子を備えるブラシ付きモータにおいて、整流子ホルダ１０は、接点オイルを中空内に含む樹脂チューブをペレットとして成形型に充填して成形した成形品であって、含油樹脂を構成している。【選択図】      図２
2006101666.tif 000002
【特許請求の範囲】
【請求項１】
整流子ホルダの芯体部の円周面に互いにギャップを空けて複数の整流子片を添接した整流子を備えるブラシ付きモータにおいて、
前記整流子のうち少なくとも前記芯体部が接点オイルを内蔵する含油樹脂で構成されて成ることを特徴とするブラシ付きモータ。
【請求項２】
請求項１において、前記整流子ホルダは、前記接点オイルが中空内にある樹脂チューブをペレットとして成形型に充填して成形した成形品であることを特徴とするブラシ付きモータ。
【発明の詳細な説明】
【技術分野】
【０００１】
本発明は、ブラシ付きモータに関し、特に、整流子ホルダの改良に関する。
【背景技術】
【０００２】
ブラシ付きモータは、整流子ホルダの芯体部の円周面に互いにギャップを空けて複数の整流子片を添接した整流子を備えている。整流子とブラシとの間のスパークを防止し、ブラシの接点寿命を延ばすために、各ギャップ内にはグリース等の接点オイルが塗布されている。
【発明の開示】
【発明が解決しようとする課題】
【０００３】
しかしながら、ブラシの摩擦熱などを直接受けるギャップ内に接点オイルが塗布されているため、モータ使用の初期において接点オイルの無駄な飛散・消耗が激しく、また接点オイルの塗布量は高々ギャップ内容積程度に限られることから、ブラシに対して接点オイルの補給量が早く先細り、油切れ状態を生じ易い。
【０００４】
そこで、上記問題点に鑑み、本発明の課題は、接点オイルの補給機能を長寿命化できるブラシ付きモータを提供することにある。
【課題を解決するための手段】
【０００５】
本発明は、整流子ホルダの芯体部の円周面に互いにギャップを空けて複数の整流子片を添接した整流子を備えるブラシ付きモータにおいて、整流子のうち少なくとも芯体部が接点オイルを内蔵する含油樹脂で構成されて成ることを特徴とする。整流子片を当て受ける芯体部が含油樹脂で構成されているため、芯体部の肉厚内に含まれる接点オイルが伝導熱と遠心力によってギャップから徐々に滲み出し、ブラシに補給される。芯体部の円周面のうち整流子片に覆われた部分から滲み出さず、滲み出す出口がギャップに限定されている。含油樹脂内の接点オイルの貯蔵量は総ギャップ容積よりも多くできるため、接点オイルの補給機能の長寿命化を実現できる。
【０００６】
整流子ホルダのうち芯体部は別部品で組み付け構成しても良いが、整流子ホルダ全体を含油樹脂で一体形成しても良い。整流子ホルダは、例えば、接点オイルを中空内に含む樹脂チューブをペレットとして成形型に充填して成形した成形品とすることができる。斯かる場合、芯体部のほかの部分も油溜めとして機能する。
【発明の効果】
【０００７】
本発明によれば、整流子片を当て受ける芯体部が含油樹脂で構成されているため、芯体部の肉厚内に含まれる接点オイルが伝導熱と遠心力によってギャップから徐々に滲み出し、ブラシに補給される。含油樹脂内の接点オイルの貯蔵量は総ギャップ容積よりも多くできるため、接点オイルの補給機能の長寿命化を実現できる。
【発明を実施するための最良の形態】
【０００８】
次に、本発明の実施形態を添付図面に基づいて説明する。
【０００９】
図１は本発明の実施例に係る整流子を示す斜視図、図２（Ａ）はその分解斜視図、図２（Ｂ）は整流子ホルダの芯体部に整流子片を添接した状態を示す斜視図である。
【００１０】
本例のブラシ付きモータに用いる整流子は、整流子ホルダ１０と３個の整流子片２０と樹脂製ワッシャ―３０とから成る。
【００１１】
整流子ホルダ１０は、図２（Ａ）に示す如く、円周面１２ａに互いにギャップＧを空けて３個の整流子片２０を添接する円筒芯体部１２と、その一方端に連結した鍔部１４とを一体的に有する。円筒芯体部１２及び鍔部１４を貫く貫通孔１６にはモータ軸（図示せず）が圧入される。鍔部１４には軸方向に一体的に突出して積層コア（図示せず）の差込み穴（図示せず）に差し込んで積層コアに取り付けるための３本の差込み突起１４ａが設けられている。また、円筒芯体部１２の円周面１２ａの鍔部１４側にはギャップＧを限定するためのスペーサ１２ｂが一体的に形成されている。更に、鍔部１４には整流子片２０のライザー部２２の基部が嵌る受け溝１４ｂが形成されている。樹脂製ワッシャー３０は、円筒芯体部１２の円周面１２ａに互いにギャップＧを空けて３個の整流子片２０を添接した状態で３個の整流子片２０を締め付け固定するための締め輪である。
【００１２】
ここで本例の整流子ホルダ１０は、接点オイルを内蔵する含油樹脂で構成されている。即ち、接点オイルが中空内にある樹脂チューブをペレットとして成形型に充填して成形した成形品である。
【００１３】
整流子片２０を当て受ける円筒芯体部１２が含油樹脂で構成されているため、円筒芯体部１２の肉厚内に含まれる接点オイルが伝導熱と遠心力によってギャップＧから徐々に滲み出し、ブラシ（図示せず）に補給される。円筒芯体部１２の円周面１２ａのうち整流子片２０に覆われた部分から滲み出さず、また貫通孔１６はモータ軸（図示せず）で塞がれるため、滲み出す出口はギャップＧに限定されている。含油樹脂内の接点オイルの貯蔵量は総ギャップ容積よりも多くできる。このため、接点オイルの補給機能の長寿命化を実現できる。鍔部１４からも円筒芯体部１２に接点オイルが浸透するため、円筒芯体部１２のほか鍔部１４も油溜めとして機能する。
【００１４】
なお、円筒芯体部１２を成形する部分のみに接点オイルを中空内に含む樹脂チューブをペレットとして用い、他の部分（鍔部１４など）は接点オイルを含まない樹脂ペレットを用いて成形すれば、円筒芯体部１２のみを含油樹脂として構成できる。
【図面の簡単な説明】
【００１５】
【図１】本発明の実施例に係る整流子を示す斜視図である。
【図２】（Ａ）はその分解斜視図、（Ｂ）は整流子ホルダの芯体部に整流子片を添接した状態を示す斜視図である。
【符号の説明】
【００１６】
１０…整流子ホルダ
１２…円筒芯体部
１２ａ…円周面
１２ｂ…スペーサ
１４…鍔部
１４ａ…差込み突起
１４ｂ…受け溝
１６…貫通孔
２０…整流子片
２２…ライザー部
３０…樹脂製ワッシャー
Ｇ…ギャップ
【図１】
2006101666.tif 000003
【図２】
2006101666.tif 000004
(57)【要約】【課題】繊維を編み上げてなる編組部を有する絶縁被覆構成のリード線を使用したものであって、編組部に使用する繊維に静電気防止，滑り性向上などを目的に塗布している油剤が原因で発生する漏れ電流、および冷媒Ｒ１３４ａの冷凍サイクルの閉塞現象を防止した電動機のリード線を提供することを目的とする。【解決手段】編組部に使用する繊維に静電気防止，滑り性向上などを目的に塗布している油剤を一旦洗浄し、その後鉱油，ハードアルキルベンゼン，エステル油などの冷凍機油を塗布した後、リード線被覆に編み上げることにより油剤が原因で発生する漏れ電流の防止、および冷媒Ｒ１３４ａの冷凍サイクルの閉塞現象を防止することができる。【選択図】図１
2006101690.tif 000002
【特許請求の範囲】
【請求項１】
繊維に塗布している油剤を一旦洗浄した後、鉱油、ハードアルキルベンゼン、エステル油などの冷凍機油を塗布した繊維を編み上げたことを特徴とするリード線編組部の製造方法。
【請求項２】
繊維に油剤を塗布せずに製造した後、鉱油、ハードアルキルベンゼン、エステル油などの冷凍機油を塗布し繊維を編み上げたことを特徴とするリード線編組部の製造方法。
【請求項３】
請求項１又は請求項２の製造方法で得られたリード線編組部を有する絶縁被覆構成のリード線と、前記リード線を使用している電動機と、エステル系の冷凍機油と、ＨＦＣガス（水素、フッ素および炭素で構成されるガス）の冷媒により構成することを特徴とする全密閉型冷凍圧縮機。
【発明の詳細な説明】
【技術分野】
【０００１】
本発明は空調冷凍機器に使用される全密閉型冷凍圧縮機用の電動機および電動機のリード線およびリード線編組部繊維に関する。
【背景技術】
【０００２】
近年、空調，冷凍機器に使用されている電動機は、繊維を編み上げてなる編組部を有する絶縁被覆構成のリード線を使用したものであって、実開平４−１２８０６３で述べられているような漏れ電流の発生を防ぐ目的や、冷媒Ｒ１３４ａを使用した冷凍サイクルの１部が閉塞するという問題を対策する目的などから、編組部に使用する繊維に静電気防止，滑り性向上などを目的に塗布している油剤を除去するためのリード線洗浄を行ったものが採用されてきている。
【特許文献１】実開平４−１２８０６３号公報
【発明の開示】
【発明が解決しようとする課題】
【０００３】
以下に従来の電動機のリード線の課題について説明する。
【０００４】
図２は従来の電動機のリード線の構造を示すものである。図２において、１４は糸を編み上げた編組部、１２はフィルム部である。
【０００５】
冷媒Ｒ１２用のコンプレッサーに使用されてきた電動機のリード線編組部には、糸を編み上げる際の糸切れなどの作業性の問題を解決するため、油剤が塗布されている。冷媒Ｒ１２を使用した冷凍サイクル内において、この油剤および編組
部に含まれる油脂類における閉塞現象はみられていない。
【０００６】
しかしながら、冷媒Ｒ１３４ａを使用した冷凍サイクル内において、この油剤を塗布したリード線を用いると、冷凍サイクルの一部が閉塞することが確認されている。
【０００７】
したがって、冷媒Ｒ１３４ａに使用される電動機のリード線については、編組部に使用する繊維に静電気防止，滑り性向上などを目的に塗布している油剤を除去するためのリード線洗浄を行っている。
【０００８】
しかしながら上記従来の構成では、編組部の糸を編み上げる際糸切れなどの作業性の問題が生じるため油剤を使用しなければならず、また従来の油剤を使用すると漏れ電流の発生や冷媒Ｒ１３４ａを用いた冷凍サイクル内において冷凍サイクルの１部を閉塞する原因となることから、リード線洗浄を行わなくてはならないという問題を有していた。
【０００９】
本発明は上記従来の問題点を解決するもので、漏れ電流発生防止や冷媒Ｒ１３４ａを使用する冷凍サイクルの閉塞現象の原因とされる物質を使用しない電動機のリード線を提供することを目的としている。
【課題を解決するための手段】
【００１０】
上記課題を解決するために、本件出願に係る第１の発明のリード線編組部の製造方法は、繊維に塗布している油剤を一旦洗浄した後、鉱油、ハードアルキルベンゼン、エステル油などの冷凍機油を塗布した繊維を編み上げたことを特徴とするリード線編組部の製造方法である。
【００１１】
また、本件出願に係る第２の発明のリード線編組部の製造方法は、繊維に油剤を塗布せずに製造した後、鉱油、ハードアルキルベンゼン、エステル油などの冷凍機油を塗布し繊維を編み上げたことを特徴とするリード線編組部の製造方法である。
【００１２】
また、本件出願に係る第３の発明は、上記第１の発明又は上記第２の発明で得られたリード線編組部を有する絶縁被覆構成のリード線と、前記リード線を使用している電動機と、エステル系の冷凍機油と、ＨＦＣガス（水素、フッ素および炭素で構成されるガス）の冷媒により構成することを特徴とする全密閉型冷凍圧縮機である。
【発明の効果】
【００１３】
本件出願に係る発明によれば、編組部に使用する繊維に静電気防止，滑り性向上などを目的に塗布している油剤を一旦洗浄し、その後鉱油，ハードアルキルベンゼン，エステル油などの冷凍機油を塗布した後、あるいは編組部に使用する糸を油剤を塗布せずに製造した後、鉱油，ハードアルキルベンゼン，エステル油などの冷凍機油を塗布した後、リード線被覆に編み上げることにより、糸を編み上げる際の糸切れやケバなどの作業性の問題についても改善することができる。
【００１４】
また、鉱油，ハードアルキルベンゼン，エステル油などの冷凍機油を使用することにより冷媒Ｒ１３４ａの冷凍サイクルの閉塞現象を防止することができる電動機を実現できるものである。
【発明を実施するための最良の形態】
【００１５】
以下本発明の実施の形態について、図面を参照して説明する。
【００１６】
（実施の形態１）
図１において、１１は電動機のリード線の編組部、１２はフィルム部、１３は電線部である。編組部に使用する繊維に静電気防止，滑り性向上などを目的に塗布している油剤を一旦洗浄し、その後鉱油，ハードアルキルベンゼン，エステル油などの冷凍機油を塗布した後、あるいは編組部に使用する糸を油剤を塗布せずに製造した後、鉱油，ハードアルキルベンゼン，エステル油などの冷凍機油を塗布した後リード線被覆に編み上げることにより、糸を編み上げる際の糸切れやケバなどの作業性の問題について改善することができる。
【００１７】
また、鉱油，ハードアルキルベンゼン，エステル油などの冷凍機油を使用することにより冷媒Ｒ１３４ａの冷凍サイクルの閉塞現象を防止することができる。
【産業上の利用可能性】
【００１８】
本発明のリード線編組部の製造方法及びリード線編組部を有する全密閉型冷凍圧縮機は、編組部に使用する繊維に静電気防止，滑り性向上などを目的に塗布している油剤を一旦洗浄することが不要となり、編組部の糸を編み上げる際の糸切れやケバなどの作業性の問題についても改善することができる。また冷媒Ｒ１３４ａを使用した冷凍サイクルの閉塞現象を防止することができる。
【図面の簡単な説明】
【００１９】
【図１】本発明実施の形態１による電動機のリード線の構成図
【図２】従来例の電動機のリード線の構成図
【符号の説明】
【００２０】
１１，１４  電動機のリード線編組部
１２  フィルム部
１３  電線部
【図１】
2006101690.tif 000003
【図２】
2006101690.tif 000004
(57)【要約】【課題】  包皮体にミルクを封入した無糖の飲料調味剤。【解決手段】  飲料調味剤１は、外皮となる包皮体２の内部に練状のコーヒーフレッシュ３が封入されており、コーヒーや紅茶などの飲み物に投入すると、包皮体２が溶解して練状のコーヒーフレッシュ３が飲み物中に溶出する。包皮体はゼラチンで構成されているから、飲料調味剤１を飲み物に投入しても砂糖は添加されない。このため、砂糖なしが好みの人、カロリー制限をしている人等の砂糖を添加せずに飲みたいという要求に応えることができる。【選択図】  図２
2006101826.tif 000002
【特許請求の範囲】
【請求項１】
ゼラチンを含む材料で構成された包皮体の内部にパウダークリーミング、練状ミルク又は液状ミルクを封入した
ことを特徴とする飲料調味剤。
【請求項２】
請求項１記載の飲料調味剤において、
前記包皮体がグミである
ことを特徴とする飲料調味剤。
【請求項３】
請求項１記載の飲料調味剤において、
前記包皮体がマシュマロである
ことを特徴とする飲料調味剤。
【請求項４】
請求項１記載の飲料調味剤において、
前記包皮体がゼラチンである
ことを特徴とする飲料調味剤。
【発明の詳細な説明】
【技術分野】
【０００１】
本発明は、コーヒー、紅茶等の飲料に添加する飲料調味剤に関する。
【背景技術】
【０００２】
コーヒー、紅茶などを飲用する際にミルクを入れることがある。ミルクはパウダークリーミング、練状ミルク又は液状ミルクが使用されるが、投入する際にカップの外に漏らして、カップ、受け皿或いはテーブルを汚すことがあった。この問題を解決する目的で、砂糖により構成した外皮体に囲まれた内部の空洞部に生ミルクを入れて成る砂糖硬化体が提案された（特許文献１）。
【特許文献１】特開平７−１０８０００号公報（請求項１）
【発明の開示】
【発明が解決しようとする課題】
【０００３】
特許文献１の砂糖硬化体はミルクこぼれて受け皿等を汚すことに関しては解決できているものの、外皮体が砂糖であるから、コーヒーなどにはミルクと共に砂糖も添加されてしまう。
【０００４】
このため、砂糖なしが好みの人、カロリー制限をしている人等、砂糖を添加せずに飲みたい人には不適であった。
【課題を解決するための手段】
【０００５】
請求項１記載の飲料調味剤は、ゼラチンを含む材料で構成された包皮体の内部にミルクを封入したので、これをコーヒーや紅茶に投入すると、包皮体が溶けて内部のミルクが溶出する。ゼラチンは３８℃前後の低温でも溶けるので、ゼラチンを含んだ包皮体も同様の低温で溶解する。従って、包皮体が溶け難いとか、内部のミルクが溶出不良になるおそれはない。
【０００６】
包皮体はゼラチンを含む材料で構成されているから、飲料調味剤を投入しても砂糖は添加されない（マシュマロやグミの場合は砂糖が含まれるが少量にできる。）。このため、砂糖なしが好みの人、カロリー制限をしている人等の砂糖を添加せずに飲みたいという要求に応えることができる。
【０００７】
また、ゼラチンは無味無臭であるから、コーヒーや紅茶などの本来の味を変える心配がない。
【発明を実施するための最良の形態】
【０００８】
包皮体に封入されるミルクは、パウダークリーミング、練状ミルク、液状ミルクなどである。
ゼラチンを含む材料としてはゼラチン、グミ、マシュマロ等が例示されるが、包皮体を形成できる限りにおいて、これらに限らない。
［実施例］
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
砂糖を含む糖質及びゼラチンに水を加え加熱混合し、グミの原料とする。また、これとは別に、練状のコーヒーフレッシュを調合する。公知のグミキャンデー製造方法と同様にしてグミの包皮体原料を製造し、図１に示すように二重ノズルの外管から包皮体原料を吐出させ、内管から練状のコーヒーフレッシュを吐出させることによって、包皮体（グミ）の内部に練状のコーヒーフレッシュを充填した後、これを冷却、乾燥させて製品（飲料調味剤）とした。なお、図１（ａ）は縦断面図、同（ｂ）は上方から見た図である。
【０００９】
上記のようにして作った飲料調味剤１は、図２に示すように外皮となる包皮体２の内部に練状コーヒーフレッシュ３が封入されている。
これをコーヒーや紅茶などの飲み物に投入すると、包皮体２が溶解して練状コーヒーフレッシュ３が飲み物中に溶出する。
【００１０】
包皮体はゼラチンを含むグミで構成されているから、飲料調味剤１を飲み物に投入しても砂糖は添加されない。このため、砂糖なしが好みの人、カロリー制限をしている人等の砂糖を添加せずに飲みたいという要求に応えることができる。
【００１１】
しかも、個食用、携帯用として持ち運びができ、従来の個食包装してあるようなクリーミングに比べて、資源及び包材を低減できる。
また、ビンと比較した場合、リサイクルゴミとして出す必要がないので経済的である。
［実施例２］
砂糖、水飴を混合溶解後、更にゼラチンを溶解して、マシュマロの原料とする。また、これとは別に、練状のコーヒーフレッシュを調合する。
【００１２】
包皮体原料となるマシュマロは、一般的な製法、即ち砂糖、水飴を混合溶解濃縮後に、水に膨潤後溶解したゼラチンを混合した原液を連続ミキサーにてエアレーションして製造する。そして、実施例１と同様に（図１参照）、二重ノズルの外管から包皮体原料を吐出させ、内管から練状のコーヒーフレッシュを吐出させることによって、包皮体（マシュマロ）の内部に練状のコーヒーフレッシュを充填して製品（飲料調味剤）とした。
【００１３】
上記のようにして作った飲料調味剤は、包皮体２がマシュマロである点を除いては実施例１と同様の構造であり、実施例１と同様に使用でき、実施例１と同様の効果がある。
［実施例３］
水に膨潤後溶解したゼラチンを原料として、一般的なソフトカプセルの製法により、練状のコーヒーフレッシュを充填したゼラチンカプセル（飲料調味剤）を製造した。
【００１４】
上記のようにして作った飲料調味剤は、包皮体２がゼラチンカプセルである点を除いては実施例１と同様の構造であり、実施例１と同様に使用でき、実施例１と同様の効果がある。
【図面の簡単な説明】
【００１５】
【図１】実施例１、２で使用した二重ノズルの説明図。
【図２】実施例の飲料調味剤の説明図。
【符号の説明】
【００１６】
１・・・飲料調味剤
２・・・包皮体
３・・・コーヒーフレッシュ
【図２】
2006101826.tif 000003
【図１】
2006101826.tif 000004
(57)【要約】      （修正有）【課題】古来より天日乾燥により生産されてきた切干大根の、土や埃や虫等の異物および侠雑物の問題を解消し、衛生的な製品の提供。【解決手段】１）加工工場内でカットまたはスライスし、ブランチングまたはボイルにより加熱し、冷却した後に、凍結庫で徐々に温度を下げ緩慢凍結した。緩慢凍結した大根を、解凍することにより脱水した後に、乾燥し切干大根とした。２）さらに（１）の工程上で、緩慢凍結した大根を解凍することにより脱水して得た大根を、乾燥を行わずに、急速冷凍することにより冷凍切干大根とした。３）加えて、緩慢凍結した大根を解凍することにより脱水して得た大根と調味液を袋に充填し、真空パックし、加熱し袋調理し殺菌した。袋調理した調理済切干大根を急速凍結することで、湯煎や電子レンジで食せる冷凍調理済食品とした。【選択図】図１
2006101861.tif 000002
【特許請求の範囲】
【請求項１】
千切り、平切り、輪切，等にカットおよびスライスした生鮮大根をブランチングまたはボイルした後に、緩慢冷凍し、解凍することにより脱水した大根を、乾燥することにより製造する切干大根。
【請求項２】
請求項１の工程で、脱水した大根を、乾燥せずに、再度、急速に冷凍し、従来の乾燥切干大根と同じように調理することを目的とした冷凍大根。
【請求項３】
請求項１の工程で、脱水した大根を調理することにより製造する調理済切干大根。
【発明の詳細な説明】
【技術分野】
【０００１】この発明は、古来よりある天日乾燥の切干大根の生産を、食品加工工場の中で衛生的に、異物をなくし、さらに古来よりある天日乾燥の美味しい味で製造することを目的とし、千切り、平切り、輪切、などにカットまたはスライスした大根を、緩慢凍結し、後に解凍し、解凍することにより脱水した後に、乾燥して製造する切干大根の製造方法に関するものである。
加えて、緩慢凍結した大根を解凍することにより脱水した後に、急速冷凍し製造する、従来の切干大根と同じ目的を持った食材としての、冷凍大根の製造に関するものである。さらに、緩慢凍結した大根を解凍することにより脱水したのちに、調理して製造する調理済切干大根の製造方法に関するものである。
【発明の開示】
【発明が解決しようする課題】
【０００２】従来の切干大根は、農家の方が大根を栽培し、その栽培した大根を圃場または圃場近くで、千切り状にカットおよびスライスし、ネットなどの上で天日および天然の冷たい風の力により乾燥して生産する。そのため味は良いが次のような欠点があった。
イ）  土や埃、虫、等の異物や侠雑物が混入する。
一方、圃場での乾燥では異物問題が解決できないため、加工工場の中で、原料である生鮮大根を切断し、機械により熱風乾燥し製造する切干大根もあるが、人工的に作られた熱風（通常４０−７０℃）により長時間（通常３−５時間）を要するため次のような欠点があった。
ロ）異物は少ないが味と食感の面では天日乾燥品に比べ劣っていた。
発明はこれらの欠点を除くためになされたものである。
【課題を解決するための手段】
【０００３】千切りや平切り、輪切、などに切断した生鮮大根をブランチングまたはボイルし緩慢凍結する。緩慢凍結した大根を解凍することにより脱水し、後に天日乾燥または熱風乾燥または天日乾燥と熱風乾燥を併用することにより解決した。
【発明の効果】
【０００４】本発明は以上のようであり、味と食感が良く異物のない食材（切干大根）が実現した。この製法の工程で、緩慢凍結し解凍し脱水することにより得た大根を、乾燥せずに、急速冷凍することにより、従来の切干大根と同等以上の味と食感を持った冷凍大根が製造でき、冷凍切干大根と名称をつけた。
また、緩慢凍結し解凍し脱水することにより得た大根を、調味液と共に袋に充填し、真空パックし、ボイル槽などで袋調理および殺菌をすることにより、美味しい調理済切干大根とした。
【発明を実施するための最良の形態】
【０００５】以下、本発明の実施の形態について説明する。
加工工場で生鮮大根を洗浄し、千切り、平切り、輪切、などにカットしたのちに、ブランチングまたはボイルし冷却する。冷却した大根を凍結庫で時間をかけ、徐々に温度を下げ緩慢凍結する。急速凍結しては解凍時の脱水効果が少なくなる。緩慢凍結した大根を流水で解凍し脱水する。その脱水した大根を、天日または熱風乾燥機により乾燥することにより切干大根とした。
くわえて、緩慢凍結し、解凍することにより脱水した大根を脱水し、次に急速凍結し、冷凍大根とし、従来の乾燥切干大根と同じように調理する食材として用いることが出来る商品とした。
さらに緩慢凍結した大根を流水で解凍し脱水した後に、調味液と共に袋に充填し、真空パックし、ボイル槽などで加熱し、袋調理することにより調理済切干大根とした。これを急速凍結することで調理済冷凍切干大根とした。
【実施例】
【０００６】大根の栽培適期に播種し、適度な肥料と農薬使用基準を十分に守り均一に育てた完熟青首大根を収穫と同時に工場に搬入する。搬入した大根は流水で十分に洗浄し、葉柄を取り皮を剥く。次にカッターで千切り、平切り、輪切、などにカットまたはスライスする。カットした大根をブランチングまたはボイルし、熱を通す。そのうえで、十分に冷却し、凍結庫で約１０時間以上をかけて徐々に温度を下げて緩慢凍結する。急送凍結してはならない。急速に凍結すると、細胞内の水分結晶が小さくなり、解凍時に十分な脱水が出来ない。
緩慢凍結した大根を流水で解凍し脱水し、十分に水を切る。脱水し水を切った大根を、天日または熱風乾燥機で乾燥することにより切干大根を製造する。
以上の工程で脱水し水を切った大根を、再度、急送凍結することにより、冷凍大根とした。（乾燥工程がない）さらに、脱水し水を切った大根と調味液を袋に充填し、真空包装し、加熱し袋調理することにより、調理済切干大根とした。さらにそれを急速凍結することにより、調理済冷凍切干大根とした。
【図面の簡単な説明】
【０００７】
【図１】工程図
【図１】
2006101861.tif 000003